(57)【特許請求の範囲】
【請求項１】
用紙を収納する給紙トレイと、
吸引ファンにより前記給紙トレイから吸引されたエアが通る吸引ダクトと、
前記吸引ダクトにおける吸引口の外側に設置され、前記吸引ファンにより吸引された前記給紙トレイ内の用紙を前記給紙トレイの外に搬送する搬送ベルトと、
前記搬送ベルトにより搬送された用紙に画像を形成する画像形成部と、
前記吸引口と前記搬送ベルトとを離間させる離間部と、
前記吸引口と前記搬送ベルトを離間させるよう、少なくとも前記離間部を制御する制御部と、を有し、
前記搬送ベルトは、用紙の搬送方向に対して直交する幅方向において複数設置されており、
前記吸引口に対して複数の前記搬送ベルトを離間させる場合は、複数の前記搬送ベルトを同じタイミングで前記吸引口から離間させ、離間させた複数の前記搬送ベルトを元の位置に戻す場合は、複数の前記搬送ベルトを異なるタイミングで元の位置に戻すよう、前記制御部は前記離間部を制御する画像形成装置。
【請求項２】
前記離間部は、前記吸引口に対して前記搬送ベルトを離間させる請求項１に記載の画像形成装置。
【発明の詳細な説明】
【技術分野】
【０００１】
本発明は、画像形成装置に関する。
【背景技術】
【０００２】
画像形成装置における給紙装置において、用紙を収納した給紙トレイの一番上の用紙を分離して搬送するために種々の方法が用いられている。その１つの方法として給紙トレイの一番上の用紙を吸引（エア吸引）して分離及び搬送する方法があり、エア吸引を用いた給紙装置としては、例えば特許文献１に記載されている。
【０００３】
図１２は、用紙を吸引、分離しつつ搬送する方法を用いた従来の給紙装置の例を示す図である。図１２に示すように、給紙トレイ５００に収納された用紙Ｓの送り出し方向先端近傍には、給紙ユニット５１０が設置されている。用紙Ｓが積載される用紙台５０１は、用紙積載量に関係なく、用紙Ｓの最上面が一定の高さとなるように上下する。
【０００４】
給紙ユニット５１０は、駆動源に接続する大ローラ５１１と２個の小ローラ５１２を巻回して回動する給紙ベルト５１３を有する。給紙ベルト５１３は多数の小径の貫通孔が穿設されている。給紙ベルト５１３の内方には吸引ファンに連通した吸引ダクト５１４が配置されていて、給紙ベルト５１３を介して用紙Ｓを吸引し、給紙ベルト５１３により用紙Ｓを搬送する。給紙ベルト５１３が用紙Ｓを吸引しながら回動すると、給紙トレイ５００に収納された用紙束の最上層の用紙Ｓが図１２の矢印Ｗの方向に進み、画像形成装置における画像形成部へ送り込まれる。
【先行技術文献】
【特許文献】
【０００５】
【特許文献１】特開２００６−３２７７７８号公報
【発明の概要】
【発明が解決しようとする課題】
【０００６】
ところで、エア吸引を用いた給紙装置は、用紙を給紙ベルトでエア吸引して分離、搬送し、一連の給紙動作が完了すると吸引ファンをオフするが、吸引ファンの羽根はオフしてもある程度の時間、惰性で回転し続ける。このため、給紙動作完了後も給紙トレイに収納された用紙が給紙ベルトに吸着された状態になることがあり、このような状態で給紙トレイを給紙装置から引き出した場合、給紙ベルトに吸着された用紙が給紙トレイ内で引っ掛かり、給紙ベルトが外れる等の不具合が生じる恐れがあった。
【０００７】
そこで、このような不具合を防止するため、給紙ベルトにおける用紙の吸着を検出する吸着検出センサを給紙装置内に設け、給紙ベルトにおける用紙の吸着を検出している間は給紙トレイの移動を規制（ロック）して給紙トレイを給紙装置から引き出せないようにしていた。
【０００８】
しかし、吸引ファンのオフ後、給紙ベルトにおける用紙の吸着が数分に及ぶ場合があり、給紙ベルトにおいて用紙が吸着している間給紙トレイを引き出せないようにすると、給紙トレイに用紙の補充作業ができない等、画像形成装置の稼働時間のロスが生じることがあった。
【０００９】
そこで、本発明の目的は、給紙動作終了後に用紙が給紙ベルトに吸着し続けることを防止して、画像形成装置の稼働時間ロスを抑制する画像形成装置を提供することにある。
【課題を解決するための手段】
【００１０】
上記目的を達成するため、本発明に係る画像形成装置は、
用紙を収納する給紙トレイと、
吸引ファンにより前記給紙トレイから吸引されたエアが通る吸引ダクトと、
前記吸引ダクトにおける吸引口の外側に設置され、前記吸引ファンにより吸引された前記給紙トレイ内の用紙を前記給紙トレイの外に搬送する搬送ベルトと、
前記搬送ベルトにより搬送された用紙に画像を形成する画像形成部と、
前記吸引口と前記搬送ベルトとを離間させる離間部と、
前記吸引口と前記搬送ベルトを離間させるよう、少なくとも前記離間部を制御する制御部と、を有し、
前記搬送ベルトは、用紙の搬送方向に対して直交する幅方向において複数設置されており、
前記吸引口に対して複数の前記搬送ベルトを離間させる場合は、複数の前記搬送ベルトを同じタイミングで前記吸引口から離間させ、離間させた複数の前記搬送ベルトを元の位置に戻す場合は、複数の前記搬送ベルトを異なるタイミングで元の位置に戻すよう、前記制御部は前記離間部を制御する。
【発明の効果】
【００１２】
本発明に係る画像形成装置によれば、給紙動作終了後に用紙が給紙ベルトに吸着し続けることを防止して、画像形成装置の稼働時間ロスを抑制することが出来る。
【図面の簡単な説明】
【００１３】
【図１】本発明に係る画像形成装置の全体構成図である。
【図２】給紙装置におけるエア吸引給紙機構の概略を示す斜視図である。
【図３】エア吸引給紙機構及びその周辺構成の要部断面図である。
【図４】図３のＸ−Ｘにおける断面図である。
【図５】搬送ベルト等が軸を支点として回動する構造を示す説明図である。
【図６】搬送ベルト等が軸を支点として回動する構造を示す説明図である。
【図７】吸引口に対して搬送ベルトが離間する状態を示す説明図である。
【図８】吸引口に対して搬送ベルトが離間する状態を示す説明図である。
【図９】大径ローラ側から見た吸引ダクトと搬送ベルトとの関係を示す所定位置の断面図である。
【図１０】大径ローラ側から見た吸引ダクトと搬送ベルトとの関係を示す所定位置の断面図である。
【図１１】大径ローラ側から見た吸引ダクトと搬送ベルトとの関係を示す所定位置の断面図である。
【図１２】用紙を吸引、分離しつつ搬送する方法を用いた従来の給紙装置の例を示す図である。
【発明を実施するための形態】
【００１４】
［画像形成装置の概要］
図１は、本発明に係る画像形成装置Ａの全体構成図である。
【００１５】
画像形成装置Ａは主に給紙装置ＬＴと画像形成装置本体Ｂから構成されており、給紙装置ＬＴ等に収納された用紙に画像を形成するものである。
【００１６】
給紙装置ＬＴは、画像形成装置本体Ｂの給紙路に接続される３段の給紙トレイＴ１、Ｔ２、Ｔ３を有しており、各給紙トレイには多量の用紙が収納されている。各給紙トレイの上部にはエア吸引給紙機構ＡＦが設置されており、エア吸引給紙機構ＡＦにより各給紙トレイ内の用紙が画像形成装置本体Ｂへ搬送される。
【００１７】
画像形成装置本体Ｂは、上部に自動原稿搬送装置ＡＤＦと画像読取部ＳＣを有し、下部に画像形成部ＩＦを有する。画像形成装置本体Ｂにおいても用紙を収納する給紙トレイ１ａ、１ｂが設置されており、給紙装置ＬＴの給紙トレイＴ１、Ｔ２、Ｔ３、あるいは画像形成装置本体Ｂの給紙トレイ１ａ、１ｂから搬送される用紙に対して画像形成部ＩＦにおいて画像が形成される。
【００１８】
画像形成部ＩＦにおいて、電子写真プロセスにより感光体２上に形成されたトナー像が用紙に転写され、用紙に転写されたトナー像は定着装置３によって定着される。定着後の用紙は、排紙ローラ４により排紙口から排出される。用紙の両面に画像を形成する場合、定着装置３から排出された用紙は、排紙ローラ４の手前で下方に搬送され、両面搬送路５を経て再び転写位置に戻され、裏面に画像形成される。
【００１９】
制御部ＳＧは画像形成装置Ａの各部の動作を制御するものであり、具体的には画像形成部ＩＦにおける画像形成動作や給紙装置ＬＴにおける給紙動作等を制御する。
【００２０】
［エア吸引給紙機構の概要］
図２は、給紙装置ＬＴにおけるエア吸引給紙機構の概略を示す斜視図である。
【００２１】
図２において、用紙は用紙積載台１０の上に積載され、矢印ａの方向に一枚ずつ搬送される。用紙積載台１０は常に最上位の用紙の位置を一定にするように上昇し、用紙の補給時は下降する。
【００２２】
用紙積載台１０の前方には先端規制部材１１が設置されており、先端規制部材１１に対する用紙搬送方向の下流側には分離エア送風部１２が設置されている。用紙積載台１０の両サイドには浮上エア送風部１３、１４が設置されており、浮上エア送風部１３、１４の内側は用紙の側面を規制する。また、用紙積載台１０の後方には後端規制部材１５が設置されている。
【００２３】
分離エア送風部１２と浮上エア送風部１３、１４の内部にはそれぞれ送風ファン１２ａ、１３ａが設置されており、送風口１２ｂ、１３ｂ、１４ｂからエアが送風される。
【００２４】
用紙積載台１０の上方にはエア吸引給紙機構ＡＦ（図１参照）が設置されており、図２ではエア吸引給紙機構ＡＦの一部である搬送ベルト２０ａ、２０ｂ、２０ｃ、２０ｄを矢印に示す位置にずらして示している。搬送ベルト２０ａ、２０ｂ、２０ｃ、２０ｄの内側には吸引ダクト２１が設置されている。
【００２５】
用紙積載台１０の上に積載された用紙は吸引ダクト２１により吸引されるが、このとき浮上エア送風部１３、１４からのエアが両サイドから用紙側面に吹き付けて、用紙積載台１０における２、３枚の用紙を浮上させ、分離エア送風部１２からのエアが吸引ダクト２１に吸引された１枚の用紙と残りの用紙を分離して、確実に１枚の用紙が吸引ダクト２１により吸引されるように作用する。
【００２６】
図３は、エア吸引給紙機構ＡＦ及びその周辺構成の要部断面図であり、図４は、図３のＸ−Ｘにおける断面図である。図３、図４を用いて、エア吸引給紙機構ＡＦの構造を詳しく説明する。
【００２７】
エア吸引給紙機構ＡＦは用紙積載台１０の上方に位置し、吸引ダクト２１と、吸引ダクト２１の用紙搬送方向後方に設けられた大径ローラ２２と、吸引ダクト２１の用紙搬送方向前方に設けられた小径ローラ２３ａ、２３ｂと、大径ローラ２２等の周囲に巻き付けられた４本の搬送ベルト２０ａ、２０ｂ、２０ｃ、２０ｄ等を有している。
【００２８】
吸引ダクト２１は、４本の搬送ベルト２０ａ、２０ｂ、２０ｃ、２０ｄに対応する部分と、給紙装置ＬＴの奥側に伸びる部分を有し、吸引ダクト２１の内部は隔壁３２によって２つに分割されている。吸引ダクト２１において、搬送ベルト２０ａ、２０ｂ、２０ｃ、２０ｄに対応する部分の下面側には複数の吸引口３１が設けられており、吸引ダクト２１の奥側には吸引ファン３３が設置されている。吸引ダクト２１は上側に位置する保持板３４により保持され、保持板３４はスライドレール３５を介して給紙装置ＬＴの筐体に接続されている。
【００２９】
大径ローラ２２と小径ローラ２３ａ、２３ｂは、巻回される搬送ベルト２０ａ、２０ｂ、２０ｃ、２０ｄが横ずれしないように太鼓状に形成されている（各ローラの端部に鍔を設けて搬送ベルト２０ａ、２０ｂ、２０ｃ、２０ｄの横ズレを防止するようにしても良い）。大径ローラ２２の軸２４の奥側にギヤ２５が設けられており、ギヤ２５は中継ギヤ２６を介してクラッチ付きモータＭ１に接続されている。大径ローラ２２の間の２箇所には、吸引センサの検知フラップ２７が設けられており、用紙がエア吸引されると検知フラップ２７が押し込まれて、用紙の吸引を検知出来る。
【００３０】
エア吸引された用紙を搬送する搬送ベルト２０ａ、２０ｂ、２０ｃ、２０ｄは多数の穴が開けられた有孔ベルトである。吸引ファン３３がＯＮすると用紙積載台１０上の最上位の用紙が吸引されて上方に浮上し、用紙が搬送ベルト２０ａ、２０ｂ、２０ｃ、２０ｄに吸着して、搬送ベルト２０ａ、２０ｂ、２０ｃ、２０ｄにより用紙が画像形成装置本体Ｂに搬送される。搬送ベルト２０ａ、２０ｂ、２０ｃ、２０ｄは用紙の搬送方向に対して直交する幅方向に設置されている。
【００３１】
給紙装置ＬＴの筐体にはモータＭ２が固定されており、モータＭ２の軸に設けられたピニオンギヤ４１が吸引ダクト２１の側部に固定されたラック４２と噛み合っている。従って、搬送ベルト２０ａ、２０ｂ、２０ｃ、２０ｄ、吸引ダクト２１等を含むエア吸引給紙機構ＡＦは全体として、スライドレール３５により搬送横方向に移動可能である。
【００３２】
図３において、エア吸引給紙機構ＡＦの小径ローラ２３ｂの下方には、分離エア送風部１２が位置している。分離エア送風部１２の送風開口５１の内側には隔壁５２と切替板５３が設けられ、切替板５３が実線位置と一点鎖線位置とに変位することにより、分離エアの送風位置を変更する。用紙の吸引開始時は、切替板５３は、一点鎖線位置にあって下側の送風開口からエアを送風し、数枚の用紙が浮上エアにより浮上されてエア吸引されると、切替板５３が実線位置に変位して上側の送風開口からエアを送風し、用紙を確実に分離する。
【００３３】
［搬送ベルトに吸着した用紙の分離］
図３、図４を用いて説明したように、エア吸引給紙機構ＡＦにおいて吸引ファン３３の吸引力により搬送ベルト２０ａ、２０ｂ、２０ｃ、２０ｄに用紙を吸着させて給紙装置ＬＴから画像形成装置本体Ｂに用紙を搬送（給紙動作）する。画像形成装置Ａにおける画像形成のジョブが完了し、エア吸引給紙機構ＡＦによる一連の給紙動作が完了すると、吸引ファン３３がオフされるが、吸引ファン３３の羽根はオフしてもある程度の時間、惰性で回転し続ける。その結果、何ら対策をとらないと給紙動作完了後も吸引ファン３３が惰性で回転している間、用紙が吸引ファン３３により吸引されて搬送ベルトＢに吸着した状態となる。そこで、本実施形態における画像形成装置Ａでは、給紙動作完了後の搬送ベルト２０ａ、２０ｂ、２０ｃ、２０ｄにおける用紙の吸着を防止するため、ジョブの実行が終了した際に吸引口３１と搬送ベルト２０ａ、２０ｂ、２０ｃ、２０ｄを離間するように動作する。以下、この点について説明する。
【００３４】
図５、図６は、搬送ベルト２０ａ等が軸２３ａ１を支点として回動する構造を示す説明図である。
【００３５】
図３、図４では示していないが、大径ローラ２２の軸２４の下方には図５、図６で示すようにソレノイド（離間部）２８が設置されており、ソレノイド２８のピン２８ａが軸２４に接触して軸２４を支持している。ソレノイド２８は前述した画像形成装置本体Ｂにおける制御部ＳＧ（図１参照）によって制御され、ピン２８Ａが上下方向に移動可能となっている。
【００３６】
搬送ベルト２０ａ、２０ｂ、２０ｃ、２０ｄ、大径ローラ２２、小径ローラ２３ｂ等は、小径ローラ２３ａの軸２３ａ１を支点として一体的に回動可能になっており、ソレノイド２８のピン２８Ａの上下動に追従して搬送ベルト２０ａ、２０ｂ、２０ｃ、２０ｄ、大径ローラ２２、小径ローラ２３ｂ等が一体的に回動する。
【００３７】
エア吸引給紙機構ＡＦにより給紙装置ＬＴから用紙を給紙する際、ピン２８ａは図５に示す状態となっており、ピン２８ａにより軸２４が支持されて搬送ベルト２０ａ、２０ｂ、２０ｃ、２０ｄ等は図５に示す位置となっている。
【００３８】
制御部ＳＧがソレノイド２８を制御してピン２８ａが図５の矢印方向（下方）に移動すると、搬送ベルト２０ａ、２０ｂ、２０ｃ、２０ｄ等が自重により軸２３ａ１を支点として一体的に回動し、図６に示すように搬送ベルト２０ａ、２０ｂ、２０ｃ、２０ｄが傾斜した位置となる。そして、制御部ＳＧがソレノイド２８を制御してピン２８ａが図６の矢印方向（上方）に移動すると、ピン２８ａが軸２４を押し上げて搬送ベルト２０ａ、２０ｂ、２０ｃ、２０ｄ等が一体的に回動し、図５に示す元の位置に戻る。
【００３９】
ソレノイド２８のピン２８Ａの上下動に追従して搬送ベルト２０ａ、２０ｂ、２０ｃ、２０ｄ、大径ローラ２２、小径ローラ２３ｂ等が一体的に回動する動作は、吸引口３１に対して搬送ベルト２０ａ、２０ｂ、２０ｃ、２０を離間させるために行われる。次に吸引口３１に対して搬送ベルト２０ａ、２０ｂ、２０ｃ、２０を離間させる動作を図７、図８を用いて説明する。
【００４０】
図７、図８は、吸引口３１に対して搬送ベルト２０ａ、２０ｂ、２０ｃ、２０ｄが離間する状態を示す説明図である。なお、搬送ベルト２０ａ、２０ｂ、２０ｃ、２０ｄ、大径ローラ２２、小径ローラ２３ｂ等の位置は、図５と図７で一致し、図６と図８で一致する。
【００４１】
前述したように、エア吸引給紙機構ＡＦにより給紙装置ＬＴから用紙を給紙する際、ピン２８ａは図５に示す状態になっており、この状態では図７に示すように吸引口３１と搬送ベルト２０ａ、２０ｂ、２０ｃ、２０ｄとの間に隙間はない。従って、吸引ファン３３がオンして吸引ダクト２１内が負圧となると吸引ファン３３により吸引された用紙Ｓが搬送ベルト２０ａ、２０ｂ、２０ｃ、２０ｄに吸着し、用紙Ｓが搬送ベルト２０ａ、２０ｂ、２０ｃ、２０ｄにより搬送される。
【００４２】
画像形成装置Ａにおけるジョブの実行が完了し一連の給紙動作が完了すると、吸引ファン３３がオフされるとともに制御部ＳＧによりソレノイド２８が制御されて図６で示すようにピン２８ａが下方に移動する。その結果、図８で示すように搬送ベルト２０ａ、２０ｂ、２０ｃ、２０ｄが傾斜した位置となり、図８で示すように吸引口３１に対して搬送ベルト２０ａ、２０ｂ、２０ｃ、２０ｄが離間して空隙ＳＰが生じる。このようになると吸引ダクト２１内の負圧が開放されて吸引ファン３３が惰性により回転しても吸引力が低下するため、搬送ベルト２０ａ、２０ｂ、２０ｃ、２０ｄから用紙Ｓが分離し、用紙Ｓが下方に落下する。
【００４３】
このように、ジョブの実行が終了した際にソレノイド２８を利用して吸引口３１と搬送ベルト２０ａ、２０ｂ、２０ｃ、２０ｄを離間するようにすれば、給紙動作終了後に用紙が搬送ベルト２０ａ、２０ｂ、２０ｃ、２０ｄに吸着し続けることを防止出来る。その結果、ジョブの実行が終了した際に直ぐに給紙トレイＴ１等に用紙の補充作業が出来るなど、画像形成装置Ａの稼働時間ロスを抑制することが出来る。
【００４４】
なお、本実施形態の画像形成装置Ａでは、吸引ダクト２１、吸引ファン３３等が搬送ベルト２０ａ、２０ｂ、２０ｃ、２０ｄに比較して大きい構造となっているために、吸引口３１の位置を固定し、可動させやすい搬送ベルト２０ａ、２０ｂ、２０ｃ、２０ｄを離間させているが、吸引口３１と搬送ベルト２０ａ、２０ｂ、２０ｃ、２０ｄを離間させる構造であればどのような構造であっても良い。例えば、本実施形態の画像形成装置Ａとは異なり、搬送ベルト２０ａ、２０ｂ、２０ｃ、２０ｄの位置を固定し、搬送ベルト２０ａ、２０ｂ、２０ｃ、２０ｄに対して吸引口３１を離間するようにしてもよい。また、搬送ベルト２０ａ、２０ｂ、２０ｃ、２０ｄを内側からアクチュエータ等で外側に押して吸引口３１に対して搬送ベルト２０ａ、２０ｂ、２０ｃ、２０ｄを離間するようにしてもよいし、大径ローラ２２と小径ローラ２３ａ、２３ｂとを近づけて搬送ベルト２０ａ、２０ｂ、２０ｃ、２０ｄのテンションを低下させることにより吸引口３１に対して搬送ベルト２０ａ、２０ｂ、２０ｃ、２０ｄを離間するようにしてもよい。
【００４５】
［搬送ベルトを元に位置に戻す変形例］
給紙装置ＬＴから用紙を搬送する搬送ベルトは４本あり、本実施形態における画像形成装置Ａでは吸引口３１に対して搬送ベルト２０ａ、２０ｂ、２０ｃ、２０ｄを離間させる場合は４本とも同じタイミングで離間させ、搬送ベルトを元の位置に戻す場合も４本とも同じタイミングで戻すように制御されている。搬送ベルトの動作の変形例として、吸引口３１に対して搬送ベルトを離間させる場合は４本とも同じタイミングで離間させ、元の位置に戻す場合は異なるタイミングで戻す動作が考えられる。以下、当該変形例について図９〜図１１を用いて説明する。
【００４６】
図９〜図１１は、大径ローラ２２側から見た吸引ダクト２１と搬送ベルト２０ａ、２０ｂ、２０ｃ、２０ｄとの関係を示す所定位置の断面図である。
【００４７】
図９〜図１１では詳細な構造を示していないが、図９〜図１１に示す変形例では各搬送ベルト２０ａ、２０ｂ、２０ｃ、２０ｄを支持する大径ローラ２２、軸２４、ソレノイド２８が個別に設置されており、各搬送ベルト２０ａ、２０ｂ、２０ｃ、２０ｄの回動が制御部ＳＧ（図１参照）により独立して行われるようになっている。
【００４８】
エア吸引給紙機構ＡＦにより給紙装置ＬＴから用紙を給紙する際、図９に示すように吸引口３１に搬送ベルト２０ａ、２０ｂ、２０ｃ、２０ｄが接触しており、吸引ファン３３がオンして吸引ダクト２１内が負圧となると吸引ファン３３により吸引された用紙Ｓが搬送ベルト２０ａ、２０ｂ、２０ｃ、２０ｄに吸着し、用紙Ｓが搬送ベルト２０ａ、２０ｂ、２０ｃ、２０ｄにより搬送される。
【００４９】
給紙動作が完了した際に、吸着した用紙を搬送ベルト２０ａ、２０ｂ、２０ｃ、２０ｄから分離するために図８で示したように吸引口３１に対して搬送ベルト２０ａ、２０ｂ、２０ｃ、２０ｄを離間させる。吸引口３１に対して搬送ベルト２０ａ、２０ｂ、２０ｃ、２０ｄを離間させる場合は同じタイミングで離間させる（図１０に離間した状態を示す）。
【００５０】
吸引口３１に対して搬送ベルト２０ａ、２０ｂ、２０ｃ、２０ｄを離間させると、吸引ダクト２１内の負圧が開放されて吸引ファン３３が惰性により回転しても吸引力が低下するため、搬送ベルト２０ａ、２０ｂ、２０ｃ、２０ｄから用紙Ｓが分離し、用紙Ｓが下方に落下する。しかし、場合によっては静電気力等により用紙Ｓが搬送ベルト２０ａ、２０ｂ、２０ｃ、２０ｄに付着し続ける可能性がある。
【００５１】
従って、用紙Ｓを搬送ベルト２０ａ、２０ｂ、２０ｃ、２０ｄから確実に分離するため、搬送ベルト２０ａ、２０ｂ、２０ｃ、２０ｄを元の位置に戻す場合は異なるタイミングで戻す。例えば、図１１で示すように、搬送ベルト２０ａ→搬送ベルト２０ｂ→搬送ベルト２０ｃ→搬送ベルト２０ｄの順に元の位置に戻す。このように搬送ベルト２０ａ、２０ｂ、２０ｃ、２０ｄを元の位置に戻す場合は異なるタイミングで戻すようにすれば、用紙Ｓを搬送ベルト２０ａ、２０ｂ、２０ｃ、２０ｄから剥がすように動作出来るため、搬送ベルト２０ａ、２０ｂ、２０ｃ、２０ｄから用紙Ｓを確実に分離させることができ、効果的である。
【００５２】
なお、搬送ベルト２０ａ、２０ｂ、２０ｃ、２０ｄを異なるタイミングで元の位置に戻すようにすれば良く、例えば、図１１に示す左側の搬送ベルト２０ｄから順々に搬送ベルト２０ｄ→搬送ベルト２０ｃ→搬送ベルト２０ｂ→搬送ベルト２０ａの順で元の位置に戻すようにしても良い。
【００５３】
以上、図１〜図１２に示す実施形態により本発明を説明したが、本発明は当該実施形態に限定されるものではなく、本発明の要旨を逸脱しない範囲における変更や追加があっても本発明に含まれる。
【符号の説明】
【００５４】
Ａ  画像形成装置
ＡＦ  エア吸引給紙機構
Ｂ  画像形成装置本体
ＩＦ  画像形成部
ＬＴ  給紙装置
Ｔ１、Ｔ２、Ｔ３  給紙トレイ
１０  用紙積載台
２０ａ、２０ｂ、２０ｃ、２０ｄ  搬送ベルト
２１  吸引ダクト
２２  大径ローラ
２３ａ、２３ｂ  小径ローラ
２４  軸
２８  ソレノイド
２８ａ  ピン
３１  吸引口
３３  吸引ファン
【図１】
0005440301.tif 000002
【図２】
0005440301.tif 000003
【図３】
0005440301.tif 000004
【図４】
0005440301.tif 000005
【図５】
0005440301.tif 000006
【図６】
0005440301.tif 000007
【図７】
0005440301.tif 000008
【図８】
0005440301.tif 000009
【図９】
0005440301.tif 000010
【図１０】
0005440301.tif 000011
【図１１】
0005440301.tif 000012
【図１２】
0005440301.tif 000013